(57)【要約】【課題】  放射線検出手段の位置を容易に認識することができる放射線撮像装置を提供することを目的とする。【解決手段】  放射線検出手段としてフラットパネル型Ｘ線検出器（ＦＰＤ）３を用いる場合、ＦＰＤ３を支持する支持ベース４は、ＦＰＤ３全体を収納可能に構成されている。装置を操作するオペレータ（操作者）Ｏが装置の前面Ｆ側に位置する場合、支持ベース４を前面Ｆにおいて光を透過する透過性部材である白色のカバー部２１で構成し、ＦＰＤ３の前面Ｆ側の面にＬＥＤ２２を配設する。このように構成することで、ＦＰＤ３全体を支持ベース４に収納する場合においても、前面Ｆにおいて光は透過性部材のカバー部２１を透過してオペレータＯに向かう。したがって、オペレータＯからみてＬＥＤ２２から発光されてカバー部２１を透過した光が認識可能になる結果、ＬＥＤ２２が配設されたＦＰＤ３の位置を、発光されてカバー部２１を透過した光を通して容易に認識することができる。【選択図】        図２
2005296499.tif 000002
【特許請求の範囲】
【請求項１】
被検体を透過した放射線を検出する放射線検出手段と、検出された放射線に基づいて画像処理を行うことで被検体の撮像を行う放射線撮像装置であって、前記装置は、前記放射線検出手段を支持し、かつ放射線検出手段全体を収納可能に構成した支持枠体を備え、放射線検出手段に発光手段を配設し、前記装置を操作する操作者からみて前記発光手段から発光された光が認識可能になるように発光手段および前記支持枠体をそれぞれ構成することを特徴とする放射線撮像装置。
【請求項２】
請求項１に記載の放射線撮像装置において、前記支持枠体を、少なくとも前記操作者側の面において光を透過する透過性部材で構成し、前記放射線検出手段の少なくとも操作者側の面に前記発光手段を配設することを特徴とする放射線撮像装置。
【発明の詳細な説明】
【技術分野】
【０００１】
この発明は、医療分野や、非破壊検査，ＲＩ（Radio isotope）検査，および光学検査などの工業分野や、原子力分野などに用いられる放射線撮像装置に係り、特に、放射線検出手段を支持する支持枠体について放射線検出手段全体を収納可能に構成した場合において撮像を行う技術に関する。
【背景技術】
【０００２】
従来、検出された放射線に基づいて画像処理を行うことで被検体の撮像を行う放射線撮像装置として、Ｘ線透視撮影装置がある。かかる装置は、被検体を載置する天板と、天板に載置された被検体にＸ線を照射するＸ線管と、Ｘ線を検出するイメージインテンシファイア（以下、『Ｉ．Ｉ』と略記する）とを備えて構成されている。近年では、Ｘ線検出手段として、Ｉ．Ｉの替わりにフラットパネル型放射線検出器（以下、『ＦＰＤ』と略記する）を用いている。ＦＰＤは半導体分野の薄膜技術で形成できるので、Ｉ．Ｉと比較して薄型・軽量となる。その結果、ＦＰＤを支持する支持枠体にＦＰＤ全体がコンパクトに収納可能となる（例えば、特許文献１参照）。
【特許文献１】特開平１１−１７８８１６号公報（第３頁、図１，３，４）
【発明の開示】
【発明が解決しようとする課題】
【０００３】
しかしながら、ＦＰＤのように放射線検出手段全体を支持枠体に収納した装置の場合には、次のような問題がある。すなわち、Ｉ．Ｉの場合には、図１０（ａ）に示すように、Ｉ．Ｉ１０１が支持枠体１０２や天板１０３に対して外部にせり出しているので、Ｉ．Ｉ１０１を移動させてもその移動位置を認識することができる。ところが、ＦＰＤの場合には、図１０（ｂ）に示すように、ＦＰＤ１０５全体が支持枠体１０２に対して収納されるので、ＦＰＤ１０５を移動させるとその移動位置を認識することができなくなる。図１１（ａ）に示す透視撮影のように、天板１０３を挟んでＸ線管１０４とＦＰＤ１０５とが互いに対向する場合には、Ｘ線管１０４の真下にＦＰＤ１０５が位置すると予測することができるが、図１１（ｂ）に示す断層撮影のように、Ｘ線管１０４とＦＰＤ１０５とが互いにずれている場合には、ＦＰＤ１０５の位置を予測することができなくなる。
【０００４】
この発明は、このような事情に鑑みてなされたものであって、放射線検出手段の位置を容易に認識することができる放射線撮像装置を提供することを目的とする。
【課題を解決するための手段】
【０００５】
この発明は、このような目的を達成するために、次のような構成をとる。
【０００６】
すなわち、請求項1に記載の発明は、被検体を透過した放射線を検出する放射線検出手段と、検出された放射線に基づいて画像処理を行うことで被検体の撮像を行う放射線撮像装置であって、前記装置は、前記放射線検出手段を支持し、かつ放射線検出手段全体を収納可能に構成した支持枠体を備え、放射線検出手段に発光手段を配設し、前記装置を操作する操作者からみて前記発光手段から発光された光が認識可能になるように発光手段および前記支持枠体をそれぞれ構成することを特徴とするものである。
【０００７】
［作用・効果］請求項１に記載の発明によれば、放射線検出手段が支持枠体に支持され、かつ放射線検出手段全体が支持枠体に収納される。このような放射線検出手段全体を支持枠体に収納する場合において、放射線検出手段に発光手段を配設し、装置を操作する操作者からみて発光手段から発光された光が認識可能になるように発光手段および支持枠体をそれぞれ構成する。このように構成することで、このような放射線検出手段全体を支持枠体に収納する場合においても、操作者からみて発光手段から発光された光が認識可能になる結果、発光手段が配設された放射線検出手段の位置を、発光された光を通して容易に認識することができる。
【０００８】
上述した発明において、支持枠体を、少なくとも操作者側の面において光を透過する透過性部材で構成し、放射線検出手段の少なくとも操作者側の面に発光手段を配設するのが好ましい（請求項２に記載の発明）。このように構成することで、操作者側の面において光は透過性部材を透過して操作者側に向かう。したがって、操作者からみて発光手段から発光されて透過性部材を透過した光が認識可能になる結果、発光手段が配設された放射線検出手段の位置を、発光されて透過性部材を透過した光を通して容易に認識することができる。なお、操作者が通常に操作する位置に応じて、支持枠体を透過性部材で構成すればよい。
【発明の効果】
【０００９】
この発明に係る放射線撮像装置によれば、放射線検出手段全体を支持枠体に収納する場合において、放射線検出手段に発光手段を配設し、装置を操作する操作者からみて発光手段から発光された光が認識可能になるように発光手段および支持枠体をそれぞれ構成することで、発光手段が配設された放射線検出手段の位置を、発光された光を通して容易に認識することができる。
【実施例】
【００１０】
以下、図面を参照してこの発明の実施例を説明する。
【００１１】
図１は、実施例に係るＸ線透視撮影装置のブロック図であり、図２は、Ｘ線透視撮影装置の天板や支持ベースやフラットパネル型Ｘ線検出器の平面図であり、図３は、側面視したフラットパネル型Ｘ線検出器の等価回路であり、図４は、平面視したフラットパネル型Ｘ線検出器の等価回路である。本実施例では、放射線検出手段としてフラットパネル型Ｘ線検出器（以下、『ＦＰＤ』と略記する）を例に採るとともに、放射線撮像装置としてＸ線透視撮影装置を例に採って説明する。
【００１２】
本実施例に係るＸ線透視撮影装置は、図１に示すように、被検体Ｍを載置する天板１と、その被検体Ｍに向けてＸ線を照射するＸ線管２と、被検体Ｍを透過したＸ線を検出するＦＰＤ３とを備えている。天板１の下には支持ベース４が取り付けられている。この支持ベース４は、ＦＰＤ３を載置したＦＰＤ受け５ごとＦＰＤ３全体を収納することで、ＦＰＤ３を支持する。ＦＰＤ受け５は、図１、図２中の矢印の方向に移動し、この移動に伴ってＦＰＤ３も同方向に移動する。なお、天板１やＸ線管２や支持ベース４は取り付け部材６によって相互に連結されており、この取り付け部材６の底面は床面に配設されている。ＦＰＤ３はこの発明における放射線検出手段に相当し、支持ベース４はこの発明における支持枠体に相当する。
【００１３】
Ｘ線透視撮影装置は、他に、天板１の昇降および回転を制御する天板制御部７や、ＦＰＤ受け５の移動を制御するＦＰＤ制御部８や、Ｘ線管２の管電圧や管電流を発生させる高電圧発生部９を有するＸ線管制御部１０や、ＦＰＤ３から電荷信号であるＸ線検出信号をディジタル化して取り出すＡ／Ｄ変換器１１や、Ａ／Ｄ変換器１１から出力されたＸ線検出信号に基づいて種々の処理を行う画像処理部１２や、これらの各構成部を統括するコントローラ１３や、処理された画像などを記憶するメモリ部１４や、オペレータが入力設定を行う入力部１５や、処理された画像などを表示するモニタ１６などを備えている。
【００１４】
天板制御部７は、天板１を昇降させたり、図１、図２中のＸ軸，Ｙ軸方向に回転させて起倒動する制御などを行う。ＦＰＤ制御部８は、ＦＰＤ受け５をＦＰＤ３とともに図１、図２中の矢印の方向に移動させる制御などを行う。高電圧発生部９は、Ｘ線を照射させるための管電圧や管電流を発生してＸ線管２に与え、Ｘ線管制御部１０は、Ｘ線管２を水平移動させたり、図１、図２中のＸ軸，Ｙ軸方向に回転させる制御などを行う。なお、この装置を用いて透視撮影を行う場合には、天板１を挟んでＸ線管２とＦＰＤ３とが互いに対向するように各制御部７，８，１０を制御する。断層撮影を行う場合には、Ｘ線管２とＦＰＤ３とを互いにずらして各制御部７，８，１０を制御する。
【００１５】
コントローラ１３は、中央演算処理装置（ＣＰＵ）などで構成されており、メモリ部１４は、ＲＯＭ（Read-only Memory）やＲＡＭ（Random-Access Memory）などに代表される記憶媒体などで構成されている。また、入力部１４は、マウスやキーボードやジョイスティックやトラックボールやタッチパネルなどに代表されるポインティングデバイスで構成されている。Ｘ線透視撮影装置では、被検体Ｍを透過したＸ線をＦＰＤ３が検出して、検出されたＸ線に基づいて画像処理部１２で画像処理を行うことで被検体Ｍの撮像を行う。
【００１６】
本明細書中では、図２の紙面からみて下側の面（図１、図２中のＹ軸からみて手前の面）を『前面』と定義づけるとともに、上側の面（図１、図２中のＹ軸からみて奥の面）を『背面』と定義づける。同様に、図２の紙面からみて右側の面を『右側面』と定義づけるとともに、左側の面を『左側面』と定義づける。図２中の符号Ｆは前面を示し、符号Ｂは背面を示し、符号Ｒは右側面を示し、符号Ｌは左側面を示す。
【００１７】
図１、図２に示すように、白色のカバー部２１で支持ベース４の前面Ｆを構成する。白色のカバー部２１を、光を透過する透過性部材で形成する。カバー部２１については支持ベース４の前面Ｆ全体に構成する必要はなく、図１に示すように、ＦＰＤ３が位置する箇所付近のみをカバー部２１で構成し、例えばＦＰＤ受け５が位置する箇所をそれ以外の物質で構成すればよい。もちろん、カバー部２１で支持ベース４の前面Ｆ全体を構成してもよい。透過性部材として、白色の場合には、例えばアクリルやＦＲＰや塩化ビニルが挙げられる。透過性部材として、白色以外の半透明の場合には、例えばポリプロピレンやポリエチレンが挙げられる。また、ＦＰＤ３の前面Ｆ側の面に発光ダイオード、すなわちＬＥＤ（Light-emitting Diode）２２を配設している。ＬＥＤ２２は、この発明における発光手段に相当する。
【００１８】
通常において、図２に示すように、装置を操作するオペレータ（操作者）Ｏは、装置の前面Ｆ側に位置する。したがって、前面Ｆは、この発明における操作者側の面に相当する。
【００１９】
ＦＰＤ３は、図３に示すように、ガラス基板３１と、ガラス基板３１上に形成された薄膜トランジスタＴＦＴとから構成されている。薄膜トランジスタＴＦＴについては、図３、図４に示すように、縦・横式２次元マトリクス状配列でスイッチング素子３２が多数個（例えば、1024個×1024個）形成されており、キャリア収集電極３３ごとにスイッチング素子３２が互いに分離形成されている。すなわち、ＦＰＤ３は、２次元アレイ放射線検出器でもある。
【００２０】
図３に示すようにキャリア収集電極３３の上にはＸ線感応型半導体３４が積層形成されており、図３、図４に示すようにキャリア収集電極３３は、スイッチング素子３２のソースＳに接続されている。ゲートドライバ３５からは複数本のゲートバスライン３６が接続されているとともに、各ゲートバスライン３６はスイッチング素子３２のゲートＧに接続されている。一方、図４に示すように、電荷信号を収集して１つに出力するマルチプレクサ３７には増幅器３８を介して複数本のデータバスライン３９が接続されているとともに、図３、図４に示すように各データバスライン３９はスイッチング素子３２のドレインＤに接続されている。
【００２１】
図示を省略する共通電極にバイアス電圧を印加した状態で、ゲートバスライン３６の電圧を印加（または０Ｖに）することでスイッチング素子３２のゲートがＯＮされて、キャリア収集電極３３は、検出面側で入射したＸ線からＸ線感応型半導体３４を介して変換された電荷信号（キャリア）を、スイッチング素子３２のソースＳとドレインＤとを介してデータバスライン３９に読み出す。なお、スイッチング素子がＯＮされるまでは、電荷信号はキャパシタ（図示省略）で暫定的に蓄積されて記憶される。各データバスライン３９に読み出された電荷信号を増幅器３８で増幅して、マルチプレクサ３７で１つの電荷信号にまとめて出力する。出力された電荷信号をＡ／Ｄ変換器１１でディジタル化してＸ線検出信号として出力する。
【００２２】
以上のように構成された本実施例装置によれば、ＦＰＤ３が支持ベース４に支持され、かつＦＰＤ３全体が支持ベース４に収納される。このようなＦＰＤ３全体を支持ベース４に収納する場合において、ＦＰＤ３にＬＥＤ２２を配設し、装置を操作するオペレータO（図２参照）からみてＬＥＤ２２から発光された光が認識可能になるようにＬＥＤ２２および支持ベース４をそれぞれ構成する。このように構成することで、このようなＦＰＤ３全体を支持ベース４に収納する場合においても、オペレータOからみてＬＥＤ２２から発光された光が認識可能になる結果、ＬＥＤ２２が配設されたＦＰＤ３の位置を、発光された光を通して容易に認識することができる。
【００２３】
本実施例では、支持ベース４を前面Ｆにおいて光を透過する透過性部材である白色のカバー部２１で構成し、ＦＰＤ３の前面Ｆ側の面にＬＥＤ２２を配設している。このように構成することで、前面Ｆにおいて光は透過性部材のカバー部２１を透過してオペレータＯに向かう。したがって、オペレータOからみてＬＥＤ２２から発光されてカバー部２１を透過した光が認識可能になる結果、ＬＥＤ２２が配設されたＦＰＤ３の位置を、発光されてカバー部２１を透過した光を通して容易に認識することができる。
【００２４】
なお、ＦＰＤ３は、半導体分野の薄膜技術で形成できるので、イメージインテンシファイア（Ｉ．Ｉ）と比較して薄型・軽量となる。したがって、ＦＰＤ３を支持する支持ベース４にＦＰＤ３全体がコンパクトに収納可能となる。この発明は、本実施例のようにＦＰＤ３全体を支持ベース４にコンパクトに収納する場合において、特に有用である。
【００２５】
この発明は、上記実施形態に限られることはなく、下記のように変形実施することができる。
【００２６】
（１）上述した実施例では、図１に示すようなＸ線透視撮影装置を例に採って説明したが、この発明は、例えばＣ型アームに配設されたＸ線透視撮影装置にも適用してもよい。また、この発明は、Ｘ線ＣＴ装置にも適用してもよい。
【００２７】
（２）上述した実施例では、フラットパネル型Ｘ線検出器（ＦＰＤ）３を例に採って説明したが、支持枠体（実施例では支持ベース４）に全体が収納可能な検出器であれば、この発明は適用することができる。
【００２８】
（３）上述した実施例では、Ｘ線を検出するＸ線検出器を例に採って説明したが、この発明は、ＥＣＴ（Emission Computed Tomography）装置のように放射性同位元素（ＲＩ）を投与された被検体から放射されるγ線を検出するγ線検出器に例示されるように、放射線を検出する放射線検出器であれば特に限定されない。同様に、この発明は、上述したＥＣＴ装置に例示されるように、放射線を検出して撮像を行う装置であれば特に限定されない。
【００２９】
（４）上述した実施例では、ＦＰＤ３は、放射線（実施例ではＸ線）感応型の半導体を備え、入射した放射線を放射線感応型の半導体で直接的に電荷信号に変換する直接変換型の検出器であったが、放射線感応型の替わりに光感応型の半導体を備えるとともにシンチレータを備え、入射した放射線をシンチレータで光に変換し、変換された光を光感応型の半導体で電荷信号に変換する間接変換型の検出器であってもよい。
【００３０】
（５）上述した実施例では、発光手段としてＬＥＤを用いたが、ＬＥＤに限定されない。例えば、電界によって電子の加速や電荷の注入が生じるルミネセンス現象を利用したエレクトロルミネセンス(Electro Luminescence)（以下、『ＥＬ』と略記する）を発光手段として用いてもよい。また、ＥＬでは有機ＥＬども含まれる。また、例えば、液晶表示盤を発光手段として用いてもよい。
【００３１】
（６）ＬＥＤなどに代表される発光手段を、撮影術式に応じて点灯状態や発光色を変更するように構成してもよい。例えば、透視撮影のようにディジタル撮影を行うときと、断層撮影を行うときとで区別して、発光色を変更してもよいし、キャパシタやスイッチング素子を構成する検出素子ごとに蓄積される電荷の量にバラツキが発生するのをなくすために検出素子ごとの増幅器（アンプ）３８（図４参照）のゲインをそれぞれ調節して出力側をそろえるキャリブレーションを行うときと、装置エラーが発生するときとで区別して、点灯間隔を変更してもよい。もちろん、ディジタル撮影を行うときと、断層撮影を行うときとで点灯間隔などの点灯状態を変更してもよいし、キャリブレーションを行うときと、装置エラーが発生するときとで発光色を変更してもよい。また、発光色の変更と点灯状態の変更との双方を組み合わせてもよい。
【００３２】
（７）上述した実施例では、カバー部２１を白色の透過性部材で形成したが、白色以外の半透明の透過性部材で形成してもよいし、透明の透過性部材で形成してもよい。なお、透明の透過性部材で形成した場合には、装置の外部から光がその透明の透過性部材を介して入り込み、ＦＰＤ３からのＸ線検出信号にノイズとなって重畳する恐れがあるので、白色や半透明の透過性部材でカバー部２１を形成するのが好ましい。
【００３３】
（８）上述した実施例では、図２に示すように、白色のカバー部２１で支持ベース４の前面Ｆを構成したが、図５（ａ）〜図５（ｃ）の平面図に示すように前面Ｆのみならずカバー部２１などに代表される透過性部材で支持ベース４を構成してもよい。例えば、図５（ａ）に示すように、カバー部２１で支持ベースの前面Ｆおよび背面Ｂを構成してもよいし、図５（ｂ）に示すように、カバー部２１で支持ベース４の前面Ｆおよび右側面Ｒを構成してもよいし、図５（ｃ）に示すように、カバー部２１で支持ベース４の前面Ｆおよび左側面Ｌを構成してもよい。また、各図５（ａ）〜図５（ｃ）を組み合わせて、カバー部２１で支持ベース４の前面Ｆ・背面Ｂ・右側面Ｒを構成してもよいし、カバー部２１で支持ベース４の前面Ｆ・背面Ｂ・左側面Ｌを構成してもよいし、カバー部２１で支持ベース４の前面Ｆ・右側面Ｒ・左側面Ｌを構成してもよいし、あるいはカバー部２１で支持ベース４の全面を構成してもよい。
【００３４】
（９）図６（ａ）〜図６（ｃ）の平面図に示すように、支持ベース４のカバー部２１の内側（ＦＰＤ３が収容されている側）の一部に反射材４１を取り付ける、あるいは塗布して、ＦＰＤ３の前面Ｆに配設されたＬＥＤ２２から発光した光の一部が反射材４１に反射して、その反射された光が前面Ｆ以外のカバー部２１を透過するようにカバー部２１を配設してもよい。例えば、図６（ａ）に示すように反射材４１によって反射された光が背面Ｂを透過する場合には、カバー部２１で支持ベース４の前面Ｆおよび背面Ｂを構成してもよいし、図６（ｂ）に示すように反射材４１によって反射された光が右側面Ｒや左側面Ｌを透過する場合には、カバー部２１で支持ベース４の前面Ｆ・右側面Ｒ・左側面Ｌを構成してもよいし、図６（ｃ）に示すように反射材４１によって反射された光が背面Ｂおよび右側面Ｒや左側面Ｌを透過する場合には、カバー部２１で支持ベース４の全面を構成してもよい。
【００３５】
（１０）上述した実施例では、オペレータＯが通常に操作する位置は、前面Ｆであったが、オペレータＯが操作する位置に応じて、支持ベース４を透過性部材で構成すればよい。例えば、装置の背面Ｂ側にオペレータＯが位置する場合には、図７（ａ）の平面図に示すように、カバー部２１で支持ベース４の背面Ｂを構成してもよいし、装置の右側面Ｒ側にオペレータＯが位置する場合には、図７（ｂ）の平面図に示すように、カバー部２１で支持ベース４の右側面Ｒを構成してもよいし、装置の背面Ｂ側にオペレータＯが位置する場合には、図７（ｃ）の平面図に示すように、カバー部２１で支持ベース４の左側面Ｌを構成してもよい。また、装置の複数箇所にオペレータＯが位置して操作する可能性がある場合には、各図５や図６のように、カバー部２１で支持ベース４の複数の面を構成してもよい。なお、ＬＥＤ２２の配設箇所も、オペレータＯが操作する位置に応じて、図７（ａ）〜図７（ｃ）に示すように変更する。
【００３６】
また、図８（ａ）に示すようにオペレータＯが床面から覗き込む、あるいは図８（ｂ）に示すように天板１や支持ベース４が起立姿勢に起動した場合には、Ｘ線の照射側とは逆側の面（図８（ａ）では床面）にオペレータＯが位置する。したがって、この場合にはＸ線の照射側とは逆側の面が、この発明における操作者側の面に相当する。かかる場合においても、実施例や各変形例と同様に、図８（ａ）、図８（ｂ）に示すように、カバー部２１で支持ベース４のＸ線の照射側とは逆側の面を構成して、ＦＰＤのＸ線の照射側とは逆側の面にＬＥＤ２２を配設する。なお、カバー部２１で支持ベース４のＸ線の照射側の面を構成してもよいが、装置の外部から光がＸ線の照射側に入り込み、ＦＰＤ３からのＸ線検出信号にノイズとなって重畳する恐れがあるので、Ｘ線の照射側以外の面をカバー部２１などに代表される透過性部材で構成するのが好ましい。
【００３７】
（１１）ＬＥＤ２２などに代表される発光手段も、カバー部２１を形成する透過性部材と同様に、オペレータＯが操作する位置に応じて、ＦＰＤ３に２つ以上の発光手段をそれぞれの面に配設してもよい。
【００３８】
（１２）ＦＰＤ３が、図９の平面図に示すように、Ｙ軸方向に移動する場合には、図７（ｂ）や図７（ｃ）に示すように、カバー部２１で支持ベース４の右側面Ｒや左側面Ｌを構成してもよいし、図９に示すように発光された光の照射角がＹ軸方向に合わせて変更可能になるように、前面Ｆに配設されたＬＥＤ２１を構成してもよい。例えば、図９（ａ）に示すように、Ｙ軸からみて手前にＦＰＤ３が位置する場合には照射角度を広げる。そして、図９（ｂ）に示すように、Ｙ軸からみて奥にＦＰＤ３が位置する場合には照射角度を狭める。照射角度の変更については、図７に示すように、左右に移動可能な遮蔽板４２を備えて、各遮蔽板４２の開きによって角度を変更すればよい。より具体的には、ＦＰＤ３のＹ軸の位置をコントローラ１３に送り込んで、コントローラ１３がその位置情報に基づいて各遮蔽板４２の駆動を操作すればよい。このように照射角度を変更することで、照射角度が狭い場合にはＦＰＤ３がＹ軸に対して奥に移動したと認識することができ、照射角度が広い場合にはＦＰＤ３がＹ軸に対して手前に移動したと認識することができる。
【図面の簡単な説明】
【００３９】
【図１】実施例に係るＸ線透視撮影装置のブロック図である。
【図２】Ｘ線透視撮影装置の天板や支持ベースやフラットパネル型Ｘ線検出器の平面図である。
【図３】側面視したフラットパネル型Ｘ線検出器の等価回路である。
【図４】平面視したフラットパネル型Ｘ線検出器の等価回路である
【図５】（ａ）〜（ｃ）は、変形例に係るＸ線透視撮影装置の天板や支持ベースやフラットパネル型Ｘ線検出器の平面図である。
【図６】（ａ）〜（ｃ）は、さらなる変形例に係るＸ線透視撮影装置の支持ベースおよびフラットパネル型Ｘ線検出器の平面図である。
【図７】（ａ）〜（ｃ）は、さらなる変形例に係るＸ線透視撮影装置の支持ベースおよびフラットパネル型Ｘ線検出器の平面図である。
【図８】（ａ）、（ｂ）は、さらなる変形例に係るＸ線透視撮影装置の正面図である。
【図９】（ａ）、（ｂ）は、さらなる変形例に係るＸ線透視撮影装置の支持ベースおよびフラットパネル型Ｘ線検出器の平面図である。
【図１０】（ａ）、（ｂ）は、従来のＸ線透視撮影装置の概略構成図である。
【図１１】（ａ）、（ｂ）は、従来のＸ線透視撮影装置を用いたときの各撮影の様子を模式的に表した説明図である。
【符号の説明】
【００４０】
３  …  フラットパネル型Ｘ線検出器（ＦＰＤ）
４  …  支持枠体
２１  …  カバー部
２２  …  ＬＥＤ
Ｆ  …  前面
Ｍ  …  被検体
Ｏ  …  オペレータ
【図１】
2005296499.tif 000003
【図２】
2005296499.tif 000004
【図３】
2005296499.tif 000005
【図４】
2005296499.tif 000006
【図５】
2005296499.tif 000007
【図６】
2005296499.tif 000008
【図７】
2005296499.tif 000009
【図８】
2005296499.tif 000010
【図９】
2005296499.tif 000011
【図１０】
2005296499.tif 000012
【図１１】
2005296499.tif 000013